(57)【要約】      （修正有）【課題】大掛かりな装置を必要とすることなく効率的なバリ取りが可能な成形体の製造方法、成形用金型、成形体の製造装置を提供することを目的とする。【解決手段】金型内で成形体の成形を行うとともに、前記成形体の周囲に形成されるバリＢを前記成形体から分断する成形体の製造方法である。成形体の成形後、金型１２内において、成形体の周囲に形成されるバリの少なくとも一部に対してエアブローを行って冷却し、冷却されたバリに対して突き出し部材６０を突き出し、バリを成形体から分断する。エアブローによりバリを突き出し部材側に押し付けた後、突き出し部材の突き出しにより、バリを突き出し部材と対向する金型面側に押し付けることで成形体から分断する。【選択図】図５
2019104237.tif 000002
【特許請求の範囲】
【請求項１】
金型内で成形体の成形を行うとともに、前記成形体の周囲に形成されるバリを前記成形体から分断する成形体の製造方法であって、
成形体の成形後、金型内において、成形体の周囲に形成されるバリの少なくとも一部に対してエアブローを行って冷却し、冷却されたバリに対して突き出し部材を突き出し、前記バリを成形体から分断することを特徴とする成形体の製造方法。
【請求項２】
前記金型において、成形体の周囲に第１のピンチ部を設けるとともに、当該第１のピンチ部の外側に第２のピンチ部を設け、これら第１のピンチ部と第２のピンチ部の間に形成される空間において、前記バリの冷却及び突き出し部材の突き出しを行うことを特徴とする請求項１記載の成形体の製造方法。
【請求項３】
前記金型において、隣接する２つの成形体のピンチ部の間に形成される空間において、前記バリの冷却及び突き出し部材の突き出しを行うことを特徴とする請求項１記載の成形体の製造方法。
【請求項４】
前記空間において、各ピンチ部に向かう傾斜面を設け、傾斜面の頂部においてバリを金型間に挟んだ状態でピンチ部近傍のバリに対して前記突き出し部材を突き出し、前記バリを成形体から分断することを特徴とする請求項３記載の成形体の製造方法。
【請求項５】
前記エアブローによりバリを前記突き出し部材側に押し付けた後、突き出し部材の突き出しにより、前記バリを突き出し部材と対向する金型面側に押圧することで成形体から分断することを特徴とする請求項１から４のいずれか１項記載の成形体の製造方法。
【請求項６】
成形体の成形を行う成形用金型であって、
成形体の外周部分をピンチするピンチ部の外側にバリを収容する空間が設けられ、この空間に臨んでエアブローするエアー吹き出し機構と、空間内に突き出される突き出し部材とを備えることを特徴とする成形用金型。
【請求項７】
成形体の周囲に第１のピンチ部が設けられるとともに、当該第１のピンチ部の外側に第２のピンチ部が設けられ、これら第１のピンチ部と第２のピンチ部の間に前記空間が設けられるとともに、当該空間に対応して前記エアー吹き出し機構及び突き出し部材が設けられていることを特徴とする請求項６記載の成形用金型。
【請求項８】
隣接する２つの成形体のピンチ部の間に空間が形成され、当該空間に対応して前記エアー吹き出し機構及び突き出し部材が設けられていることを特徴とする請求項６記載の成形用金型。
【請求項９】
前記突き出し部材は、先端が金型面から僅かに突出した状態で設置されていることを特徴とする請求項６から８のいずれか１項記載の成形用金型。
【請求項１０】
前記突き出し部材の先端面の略中央には、略円形の凹部または略円形の凸部を有することを特徴とする請求項６から９のいずれか１項記載の成形用金型。
【請求項１１】
前記突き出し部材が設けられた金型には、エア排出ピンが設置されていることを特徴とする請求項６から１０のいずれか１項記載の成形用金型。
【請求項１２】
前記空間において、各ピンチ部に向かう傾斜面が設けられ、傾斜面の頂部において対向する金型間の間隔が狭められていることを特徴とする請求項８記載の成形用金型。
【請求項１３】
成形体の成形を行う金型を備え、金型内で成形体の成形を行うとともに、前記成形体の周囲に形成されるバリを前記成形体から分断する成形体の製造装置であって、
前記金型は、成形体の周囲に形成されるバリの少なくとも一部に対してエアブローを行って冷却するエアー吹き出し機構と、冷却されたバリに対して突き出され、前記バリを成形体から分断する突き出し部材を備えることを特徴とする成形体の製造装置。
【請求項１４】
請求項１３記載の成形体の製造装置と、その周囲に配置される成形体取り出し機構、バリ掴み取りロボット、バリ搬送コンベア、加工機、成形体搬出コンベアとから構成される成形ライン。
【請求項１５】
前記成形体取り出し機構は先端に成形体を吸着保持するヘッド部を有する多関節アームを備え、当該多関節アームが回転することで、成形体が加工機、成形体搬出コンベアへと順次移送されることを特徴とする請求項１４記載の成形ライン。
【請求項１６】
前記成形体の製造装置の成形用金型のうち、一方の金型の捨て袋部分の成形位置に係止具が設置されていることを特徴とする請求項１４または１５記載の成形ライン。
【請求項１７】
前記係止具は、キャップボルトであることを特徴とする請求項１６記載の成形ライン。
【発明の詳細な説明】
【技術分野】
【０００１】
本発明は、成形体の製造方法、成形用金型及び成形体の製造装置に関するものであり、特に、金型内でバリ取りを行うようにした新規な成形体の製造方法、成形用金型及び成形体の製造装置に関する。
【背景技術】
【０００２】
樹脂材料を成形した成形品として、例えば自動車のインストルメントパネル内に取り付けられる各種空調ダクトが知られている。これら空調ダクトは、押出機のダイから押し出されるパリソンをブロー成形することにより容易に製造することができる。
【０００３】
ブロー成形を行った成形品（ダクト）においては、型締めされた金型の周囲にバリが形成され、これを除去することが必須の工程となる。一般に、ブロー成形後のバリ取りは、プレス機を用いて行うことが多く、成形品の外形形状に対応した型を用いてバリを打ち抜くことにより、金型周囲のバリが一括して除去される。
【０００４】
例えば特許文献１には、金型内でブロー成形を行うブロー成形方法及びブロー成形装置が開示されており、バリを積極的に金型と接触させることで冷却効率を向上し、バリの冷却効率を向上することが記載されている。ブロー成形においては、バリが十分に冷却するまで待ってからプレス機によるバリ打ち抜きを行っており、時間的な損失が大きく、生産性を損なう要因となっている。特許文献１記載の技術によれば、ブロー成形からバリ取りまでの一連の工程に要する時間が短時間で済み、生産性が向上する。
【先行技術文献】
【特許文献】
【０００５】
【特許文献１】特開２０１６−８３８５９号公報
【発明の概要】
【発明が解決しようとする課題】
【０００６】
ところで、ブロー成形に限らず、成形体の周囲にバリが形成される成形においては、バリ取り作業は、成形体を金型から取り出した後に、プレス機や手作業等で行うというのが基本的な考えであり、例えば特許文献１記載の発明も例外ではない。しかしながら、プレス機を用いてバリ取りを行う場合、成形品のサイズが大きいと、プレス機もこれに対応して大型化せざるを得ず、多大な設備投資が必要となるという問題がある。また、成形品の大きさや形状が異なると、プレス機の型もこれに対応して大きさや形状を変更する必要があり、さらに設備投資が増大することになる。
【０００７】
このような状況から、特に大型の成形品の成形においては、成形品の周囲に形成されるバリを、手作業で切除しているのが実情である。具体的には、製品である成型体を金型からバリが付いたまま取り出し、その後、ナイフ処理等を人の手で実施する方法が基本である。手作業により大型の成形品のバリを一つ一つ切除する方法では、金型から取り出した後にバリ除去作業を行うことになり、工数も多く、成形品１個当たりのバリ取りに要する時間も長くなり、生産性を大きく損なう要因となっている。
【０００８】
本発明は、このような従来の実情に鑑みて提案されたものであり、大掛かりな装置を必要とすることなく効率的なバリ取りが可能な成形体の製造方法を提供することを目的とし、さらには、成形用金型、成形体の製造装置を提供することを目的とする。
【課題を解決するための手段】
【０００９】
前述の目的を達成するために、本発明の成形体の製造方法は、金型内で成形体の成形を行うとともに、前記成形体の周囲に形成されるバリを前記成形体から分断する成形体の製造方法であって、成形体の成形後、金型内において、成形体の周囲に形成されるバリの少なくとも一部に対してエアブローを行って冷却し、冷却されたバリに対して突き出し部材を突き出し、前記バリを成形体から分断することを特徴とする。
【００１０】
また、本発明の成形用金型は、成形体の成形を行う成形用金型であって、成形体の外周部分をピンチするピンチ部の外側にバリを収容する空間が設けられ、この空間に臨んでエアブローするエアー吹き出し機構と、空間内に突き出される突き出し部材とを備えることを特徴とする。
【００１１】
本発明の成形体の製造装置は、成形体の成形を行う金型を備え、金型内で成形体の成形を行うとともに、前記成形体の周囲に形成されるバリを前記成形体から分断する成形体の製造装置であって、前記金型は、成形体の周囲に形成されるバリの少なくとも一部に対してエアブローを行って冷却するエアー吹き出し機構と、冷却されたバリに対して突き出され、前記バリを成形体から分断する突き出し部材を備えることを特徴とする。
【００１２】
本発明は、金型内でバリ取りを行うことを基本的な考えとするもので、エアブローによるバリの冷却と、突き出し部材によるバリの分断により、成形サイクルの低下を抑えながら、効率的なバリ取りを実現するものである。
【発明の効果】
【００１３】
本発明によれば、大掛かりな装置を必要とすることなく効率的なバリ取りが可能である。特に、本発明によれば、成形完了後の成形体の取り出し時には、バリ処理が完結されていることになり、成形工程の大幅な合理化を実現することができる。
【図面の簡単な説明】
【００１４】
【図１】成形体をブロー成形する際の態様を模式的に示す概略断面図である。
【図２】バリを除去する前の成形体の一例を示す概略平面図である。
【図３】成形からバリ取りまでの動作を説明する図であり、成形体の成形工程を示す概略断面図である。
【図４】エアブローによるバリ冷却工程を示す概略断面図である。
【図５】突き出し部材の突き出し工程を示す概略断面図である。
【図６】突き出し棒の一例を示す要部概略斜視図である。
【図７】突き出し棒の他の例を示す要部概略斜視図である。
【図８】突き出し棒のさらに他の例を示す要部概略斜視図である。
【図９】バリの突き出し棒側への押し付け状態及びエアー排出ピンのバリへの突き刺し状態を示す要部概略断面図である。
【図１０】成形体間の空間に傾斜面を形成した金型例を示す概略平面図である。
【図１１】図１０に示す金型の概略断面図である。
【図１２】図１０及び図１１に示す金型を用いた場合のバリ取り工程を一部拡大して示す概略断面図である。
【図１３】傾斜面に座ぐりを形成した状態を示す要部概略断面図である。
【図１４】バリや成形品の取り出しを自動で行う成形ラインを示すものであり、成形品の取り出し工程を示す図である。
【図１５】成形品の加工工程を示す図である。
【図１６】成形品の搬出工程を示す図である。
【図１７】成形品の捨て袋部分の成形状態を示す図であり、（Ａ）は係止具を設置していない場合の成形状態、（Ｂ）は係止具を設置した場合の成形状態をそれぞれ示す。
【発明を実施するための形態】
【００１５】
以下、本発明を適用した成形体の製造方法、成形用金型、及び成形体の成形装置の実施形態を、ダクトのブロー成形を例に図面を参照しながら詳細に説明する。
【００１６】
図１は、成形体であるダクトをブロー成形する際のブロー成形方法を説明するための図である。  ブロー成形に際しては、先ず、押出機内で成形に用いる樹脂材料を溶融混練して成形用樹脂を調製する。例えばバージン樹脂のみを用いて成形する場合であれば、各種樹脂材料のバージン樹脂に、必要に応じて改質材を加えて溶融混練し、成形用樹脂を作製する。回収樹脂材料を用いる場合には、粉砕された回収樹脂材料にバージン樹脂を所定割合加え、混練して成形用樹脂を作製する。
【００１７】
成形に用いる樹脂材料は任意であり、例えばポリプロピレン等のポリオレフィン樹脂のような熱可塑性樹脂が用いられる。成形体（ダクト１）が発泡成形体である場合には、成形用樹脂に発泡剤を添加する。
【００１８】
こうして準備した成形用樹脂を押出機内で溶融混練した後、ダイ内アキュムレータに貯留し、続いて、所定の樹脂量が貯留された後にリング状ピストンを水平方向に対して直交する方向（垂直方向）に押し下げる。そして、図１に示す環状ダイ１１のダイスリットより、所定の押出速度で円筒状のパリソンＰを押し出し、金型１２，１３の間に押し出す。その後、金型１２，１３を型締してパリソンＰを挟み込み、さらにパリソンＰ内に所定の圧力範囲でエアーを吹き込み、ダクト１を成形する。
【００１９】
図２は、成形されたダクト１の形状例を示すものであり、ブロー成形後のダクト１を金型１２，１３から取り出した状態を示す図である。本例のダクトは、２本の平行に配置されたダクト部２，３と、これらダクト部２，３を繋ぐ連結ダクト部４とから構成されている。また、成形体であるダクト１の周囲には、余分なパリソンＰがバリＢとして残存している。
【００２０】
本実施形態のブロー成形方法では、前ダクト１の成形からバリＢの分断までを金型１２，１３内で行う。以下、金型１２，１３の構成、及びこれを用いた成形方法について図３〜図５を参照して説明する。なお、図３〜図５は、図２に示すダクト１のｘ−ｘ線に対応する位置での断面を示すものである。
【００２１】
ダクト１の成形に用いられる金型１２，１３には、ダクト１の形状に対応した凹部が形成されており、図３に示すように、金型１２，１３には、ダクト部２に対応する凹部３１，３２、及びダクト部３に対応する凹部３３，３４が形成されている。ここで、凹部３１，３２により金型１２，１３間にダクト部２に対応するキャビティ（空間）ｃ１が形成され、凹部３３，３４により金型１２，１３間にダクト部３に対応するキャビティ（空間）ｃ２が形成される。
【００２２】
金型１２，１３の材質は特に限定されない。例えば、アルミニウムやスチールを用いることができる。熱伝導率が高く、打ち抜くバリを効率的に冷却できることから、アルミニウムを用いるのが好ましい。
【００２３】
金型１２，１３間に供給されたパリソンＰは、型締め後に内部にエアブローすることにより金型１２，１３の凹部３１，３２、あるいは凹部３３，３４に沿った形に賦形され、金型１２，１３の凹部３１，３２、あるいは凹部３３，３４によって形成されるキャビティｃ１，ｃ２の形状に賦形される。
【００２４】
また、各キャビティｃ１，ｃ２（すなわち成形体であるダクト１）の外周部分においては、各金型１２，１３は、互いに突き当てられるピンチ部を有する。ダクト部２に対応するキャビティの周囲にはピンチ部３５を有し、ダクト部３に対応するキャビティの周囲にはピンチ部３６を有する。これらピンチ部３５，３６において、パリソンＰが押し潰され、この部分が成形体のパーティングライン（ＰＬ）となる。
【００２５】
ここで、前記ピンチ部３５，３６の外側に残存するパリソンＰがバリＢとなるが、本実施形態においては、このバリＢを成形体であるダクト１から分断する機構が金型１２，１３に設けられている。
【００２６】
先ず、金型１２，１３のピンチ部３５，３６の外側においては、金型１２の金型面が後退されてバリＢを収容する空間３７，３８が形成されている。図３において、ダクト部２に対応するキャビティｃ１の左側のピンチ部３５の外側に空間３７が形成され、ダクト部３に対応するキャビティｃ２の右側のピンチ部３６の外側に空間３８が形成されている。これら空間３７や空間３８内に、ピンチ部ｃ１，ｃ２近傍のバリＢが収容される形になる。
【００２７】
また、前記空間３７，３８は、前記ピンチ部３５，３６から所定の距離をもって形成されるピンチ部３９，４０によって反対側の端部が塞がれる形となっている。すなわち、前記空間３７，３８は、ピンチ部３５，３６を第１のピンチ部、ピンチ部３９，４０を第２のピンチ部とし、これらピンチ部間の空間として形成されている。このように空間３７，３８を閉鎖空間とすることで、後述のエアー吹き付け機構から吹き付けられるエアー（冷気）が空間３７，３８から逃げないような構造とされている。なお、エアー吹き付けの際に、これら空間３７，３８からエアーを逃がすために、空間３７，３８にエアー逃がし用のピンを挿入するようにしてもよいし、他のエアー逃がし機構を設けるようにしてもよい。
【００２８】
各空間３７，３８には、エアー吹き付け機構及び突き出し部材が設けられ、これを用いてバリＢの成形体（ダクト１）からの分断が行われる。具体的には、本実施形態の場合、図中、上側の金型１２には、前記空間３７，３８に対応してエアー吹き付け用の吹き出し孔５０が形成されている。このエアー吹き出し孔５０からエアー（冷気）が吹き出され、バリＢに冷気が吹き付けられる。
【００２９】
一方、図中、下側の金型１３には、ピンチ部３５，３６に近い位置に、またピンチ部３５，３６に沿って配列する形で突き出し部材である突き出し棒６０が設置されている。突き出し棒６０は、直径２０ｍｍ〜３０ｍｍ程度の棒状部材であり、突き出し棒６０の先端は金型１３の金型面から若干突出するように設置しておく。この突き出し棒６０を金型面から突き出すことでバリＢを向かい合う金型１２の金型面に向けてバリＢを押し付ける。
【００３０】
前記突き出し棒６０の形態は任意であり、例えば図６に示すように、断面円形の棒状体を用いてもよいし、図７に示すように、先端面の中央に凹部６０ａを有し円環状の突出部を有する棒状体を用いてもよい。あるいは、図８に示すように、先端に若干径の小さな凸部６０ｂを有する棒状体等も使用可能である。いずれにしても、突き出し棒６０の先端は、溶融状態のバリＢがエアー吹き付けによって押し付けられた際にその形状が転写され、押し出し時にバリＢを係止することでバリＢがずれるのを防止し得る形態とすることが好ましい。このような観点から、突き出し棒６０の先端を図７や図８に示す形状とすることが好ましい。
【００３１】
突き出し棒６０は、前記の通り、ピンチ部３５，３６に沿って配列されるが、その間隔が狭いほど切断性が向上する。したがって、突き出し棒６０の配列ピッチ（配列間隔）は１７０ｍｍ以内とすることが好ましい。
【００３２】
また、突き出し棒６０の稼動手段としては、例えば油圧方式を採用することができ、各突き出し棒６０を独立に稼動させる方式としてもよいし、金型背板等を利用して同時に稼動する方式としてもよい。成形体の形状によっては、突き出し棒６０が当たるタイミングを可変とすることで、バリ処理が円滑に行われることも考えられるが、その場合には、各突き出し棒６０のストロークを調整することで適宜調整可能である。
【００３３】
ダクト部２，３の外側にバリＢに関しては、前記の通りであるが、ダクト部２，３間のバリＢについても同様の構成で対応可能である。ただし、ダクト２，３間のバリＢに関しては、第２のピンチ部を形成する必要はなく、ダクト部２のピンチ部３５とダクト部３のピンチ部３６の間に空間４１を形成し、ここにエアー吹き付け用の吹き出し孔５０や突き出し棒６０を設置すればよい。なお、突き出し棒６０に関しては、前記空間３７，３８においては成形体側（ダクト部２側あるいはダクト部３側）に一箇所（一列）配列したが、空間４１においては、ダクト部２側とダクト部３側の２箇所に突き出し棒６０を配列する。
【００３４】
次に、これら金型１２，１３を用いてブロー成形を行う場合の各工程について説明する。成形体であるダクト１をブロー成形するには、前述の通り、環状ダイ１１のダイスリットより供給されるパリソンＰを金型１２，１３で挟み込み、パリソンＰ内にエアブローしてこれを金型１２，１３のキャビティ形状に賦形する。この状態を示すのが図３である。金型１２，１３間にパリソンＰが挟み込まれて賦形され、金型１２，１３のキャビティｃ１，ｃ２においてダクト部２及びダクト部３が成形される。
【００３５】
ダクト部２，３の成形が完了した後、図４に示すように金型１２に設けられた吹き出し孔５０からエアーを供給し、バリＢの表面に対してエアブローを行う。供給するエアーは冷気であることが好ましい。また、ここでのエアブローは、ピンチ部３５，３６近傍のバリＢにエアーが当たるように行うことが好ましい。このエアブローにより、バリＢが冷却されて短時間のうちに剛性が増す。
【００３６】
なお、前記エアブローは、バリＢを冷却する機能を有する他、バリＢを突き出し棒６０側に押し付けるという役割も有している。バリＢを突き出し棒６０側に押し付けておくことで、突き出し棒６０の突き出しにより大きなストロークでバリＢを反対側の金型１２に押し付けることができ、バリＢを成形体から確実に分断することができる。
【００３７】
図９は、吹き出し孔５０からのエアブローにより、バリＢが突き出し棒６０が設けられた金型１３側に押し付けられた状態を示すものである。エアブローにより押し付けられたバリＢは、初期の段階では溶融状態にあり、前記押し付けにより僅かに突出された突き出し棒６０の先端形状が転写され、凹部が形成される。この時、突き出し棒６０の先端の少なくとも一部が金型１３から突出した状態にあればよく、例えば突き出し棒６０の形態を図７や図８に示すようなものとした場合には、凹部６０ａの周囲の円環状の突出部や中央の凸部６０ｂを金型１３から突出させ、その他の部分は金型１３と面一としてもよい。凹部が形成された状態で冷却されたバリＢを突き出し棒６０で押圧すると、前記凹部に突き出し棒６０の先端が係止され、バリＢがすべる等して位置ズレを起こすことがなくなり、突き出し棒６０でバリＢを確実に押圧して、成形体から分離することができる。
【００３８】
また、図９に示す例おいては、金型１３にエア逃がし用のエア排出ピン７０が設けられているが、このエア排出ピン７０は、前記エアブローにより押し付けられたバリＢに突き刺さり、バリＢと金型１２間のエアーも効果的に排出する。したがって、エア排出ピン７０の金型１３からの突出量は、エアブローにより押し付けられたバリＢを貫通し得るように設定することが好ましい。ただし、エア排出ピン７０の突出量があまり大きすぎると、バリＢに奥深く突き刺さり、バリＢを突き出し棒６０で押圧する際にバリＢから抜け難くなることがあるので、エアブローにより押し付けられたバリＢから僅かに突き出る程度とすることが好ましい。
【００３９】
前記エアブローによるバリＢの冷却の後、図５に示すように、剛性の増したバリＢを突き出し棒６０により反対側の金型１２に押し付け、バリＢを成形体から引きちぎる形で分断（切断）する。ダクト部２，３の外側のバリＢは、空間３７，３８において、ピンチ部３５，３６近傍に設けられた突き出し棒６０の突き出しにより成形体から分断される。ダクト部２，３間のバリＢは、空間４１において、ピンチ部３５，３６近傍にそれぞれ設けられた２本の突き出し棒６０の突き出しにより成形体から分断される。
【００４０】
以上により、金型１２，１３内においてバリＢの成形体からの分断が行われる。すなわち、本実施形態のブロー成形方法では、成形体の成形及びバリ処理が金型内で完結し、これまでになく効率的な成形及びバリ処理が可能である。
【００４１】
以上、本発明を適用した実施形態についてを説明してきたが、本発明が前述の実施形態に限られるものでないことは言うまでもなく、本発明の要旨を逸脱しない範囲において、種々の変更を加えることが可能である。
【００４２】
例えば、金型内において、成形体の全周囲においてバリＢを分断する形にしてもよいが、その場合、完全に分離されたバリが金型内に残ってしまう可能性がある。そのような場合には、バリＢの一部が成形体と連結された状態となるようにバリＢの分断を行うようにしてもよい。前記連結部の分断は、成形体を金型から取り出した後、簡単に行うことができる。
【００４３】
また、前記金型構成において、例えば成形体が大型で、ダクト部２とダクト部３の間の距離が大きい場合、バリＢの寸法も大きくなって突き出し棒６０の力が十分にバリＢに伝わらない場合がある。このような場合には、金型に傾斜面を有する突出部を設け、傾斜面の頂部において対向する金型間の間隔が狭めることでこの間にバリＢを挟みこみ、各突き出し棒６０による押し込みが確実に行われるようにしてもよい。
【００４４】
図１０は、ダクト部２，３の間の領域において、図中上方の金型１２に傾斜面を形成した例を示すものであり、図１１は図１０に示す金型の概略断面図である。
【００４５】
図１０に示すように、ダクト部２，３の間の領域においては、ダクト部２，３のピンチ部３５，３６に沿って突き出し棒６０が配列される。ダクト２，３間の寸法が大きいと、エアブローによってバリＢを冷却してもバリＢは自由に動いてしまい、十分に突き出し棒６０の力が加わらない。
【００４６】
そこで、本例の場合、金型１２に傾斜面８１を有する台状部８２を形成し、ここにバリＢを挟み込むようにしている。なお、図１０において斜線領域が傾斜面８１である。
【００４７】
金型１２に前記傾斜面８１を有する台状部８２を形成すると、図１１に示すように、この部分において金型１２と金型１３の間隔が小さくなる。この間隔をバリＢを保持し得る程度とすれば、金型１２,１３間にバリＢが挟まれる形となり、図１２に示すように、ここを支点として、バリＢに突き出し棒６０の力が確実に伝わり、バリＢの分断が円滑に行われる。
【００４８】
なお、前記傾斜面８１を形成する場合において、例えば金型１３にエア排出ピン７０を設置する場合、図１３に示すように、これに対向する部分に座ぐり部８３を設け、金型１２の傾斜面８１にエア排出ピン７０が衝突しないようにすることが好ましい。
【００４９】
成形体の製造方法について言えば、先の実施形態では、パリソンＰをブロー成形する場合を例に説明したが、シートを金型で成形する方法等、成形体の周囲にバリが形成される製造方法、成形用金型、製造装置であれば、いずれにおいても本発明を適用することが可能である。
【００５０】
次に、前述の成形体の製造装置を組み込んだ成形ラインについて説明する。前述の通り、先の実施形態では、成形体の成形及びバリ処理が金型内で完結し、これまでになく効率的な成形及びバリ処理が可能である。これをさらに効率化するために、バリの排出から成形体の搬送までの一連の工程を自動化することも可能である。
【００５１】
図１４から図１６は、成形ラインの一例を示すものである。この成形ラインでは、成形体９０（先の実施形態におけるダクト１に相当）を成形する金型１２，２３を備えた成形装置を中心に、その周囲に成形体取り出し機構９１、バリ排出機構（バリ掴み取りロボット９２及びバリ搬送コンベア９３）、成形体９０の加工機９４、成形体９０を搬出する成形体搬出コンベア９５が配置されている。
【００５２】
成形体取り出し機構９１は、ここでは多関節ロボットであり、回転する多関節アーム９１Ａを備え、その先端に成形体９０を真空吸引等により吸着するヘッド部９１Ｂを有している。成形された成形体９０は、多関節アーム９１Ａの先端のヘッド部９１Ｂで吸着保持され、多関節アーム９１Ａが回転することで、加工機９４、成形体搬出コンベア９５へと順次移送される。
【００５３】
バリ排出機構は、バリ掴み取りロボット９２及びバリ搬送コンベア９３とから構成され、金型１２、１３内で成形体９０から分離されたバリ（図示は省略する。）をバリ掴み取りロボット９２の２本のアーム９２Ａ，９２Ｂで挟み込み、金型１２，１３からバリ搬送コンベア９３へと引き出す。成形体９０のバリは、金型１２，１３からはみ出す形で形成されるので、この部分をバリ掴み取りロボット９２の２本のアーム９２Ａ，９２Ｂで簡単に挟み込むことができる。
【００５４】
加工機９４は、金型１２，１３から取り出された成形体９０を加工するものであり、例えば細かなバリの切除等が行われる。
【００５５】
金型１２，１３での成形体９０の成形及びバリの分離が終わると、図１４に示すように金型１２，１３が型開きされ、それと同時にバリがバリ掴み取りロボット９２の２本のアーム９２Ａ，９２Ｂで引き出され、バリ搬送コンベア９３により排出される。また、成形体９０は、多関節アーム９１Ａの先端のヘッド部９１Ｂで吸着保持され、金型１２，１３から取り出される。
【００５６】
次いで、図１５に示すように成形体９０は多関節アーム９１Ａの水平回転運動により、加工機９４へと移送される。加工機９４に移送された成形体９０は、細かなバリの切除等が行われ、製品として完成する。
【００５７】
加工機９４での処理が終わった成形体９０は、図１６に示すように、多関節アーム９１Ａの水平回転運動により成形体搬出コンベア９５へと移送され、搬出される。すなわち、多関節アーム９１Ａが１回転することで、成形体９０の金型１２，１３からの取り出しから製品の搬出までの一連の工程が行われることになる。
【００５８】
このような成形ラインを考えた場合、金型１２，１３を型開きした時に、必ず特定の金型（ここでは金型１３）に成形体９０が保持されていることが必要である。成形体９０が保持されている金型が成形のたびに異なると、成形体取り出し機構９１において、成形体９０を確実に取り出すことが難しい。例えば、成形体取り出し機構９１において、金型１３に保持されている成形体９０を取り出すように設定されていると、成形体９０が金型１２に保持されていた場合、取り出すことができない。
【００５９】
このような不都合を解消するためには、一方の金型に成形体９０を係止し得る工夫を施しておくことが好ましい。ただし、成形体９０の製品部分の形状に影響を与えることは避けなければならない。
【００６０】
これを実現するためには、成形体９０を保持させる側の金型（例えば金型１３）の捨て袋部分に、キャップボルト９６を設置しておき、その頭部９６Ａを成形体９０の捨て袋部分に食い込ませることが有効である。例えば開口部を有する成形体（ダクト等）のブロー成形においては、成形の際に成形体９０に開口部を形成することができず、成形時にはこれを閉塞する形で捨て袋部分を形成しておき、後にこれを切除することで開口部を形成することが行われている。捨て袋部分は製品からは切除されるため、ここにキャップボルト９６を食い込ませても、製品に影響を与えることなく特定の金型１３に成形体９０を確実に残すことが可能である。
【００６１】
図１７は、捨て袋部分の成形状態を示すものであり、（Ａ）は係止具であるキャップボルト９６を設置していない場合の成形状態、（Ｂ）はキャップボルト９６を設置した場合の成形状態を示す。キャップボルト９６を設置していない場合、金型１２，１３に対して捨て袋部分９０Ａの成形状態は等価である。この状態で金型１２，１３を型開きすると、成形体９０は金型１２側に残る場合と金型１３側に残る場合とがある。
【００６２】
これに対して、金型１３にキャップボルト９６を設置しておくと、捨て袋部分９０Ａの所定の箇所９０Ｂにキャップボルト９６の頭部９６Ａが食い込む形となり、捨て袋部分９０Ａが引っ掛かって成形体９０は確実に金型１３側に残ることになる。
【００６３】
なお、キャップボルト９６は、成形体９０のサイズや引っ掛かり具合等に応じて適正なサイズのものを選択すればよい。キャップボルト９６のサイズはＭ８，Ｍ６等、規格化されており、これらの中から適正なサイズのものを選択して金型の捨て袋部分に設置すればよい。キャップボルト９６は通常のボルトと同様に金型に取り付けることができ、交換も容易である。
【符号の説明】
【００６４】
１  ダクト
２，３  ダクト部
４  連結ダクト部
１１  環状ダイ
１２，１３  金型
３１，３２，３３，３４  凹部
３５，３６  ピンチ部（第１のピンチ部）
３７，３８  空間
３９，４０  ピンチ部（第２のピンチ部）
４１  空間
５０  エアー吹き付け孔
６０  突き出し棒
７０  エア排出ピン
８１  傾斜面
８２  台状部
ｃ１，ｃ２  キャビティ
９０  成形体
９１  成形体取り出し機構
９２  バリ掴み取りロボット
９３  バリ搬送コンベア
９４  加工機
９５  成形体搬出コンベア
９６  キャップボルト
【図１】
2019104237.tif 000003
【図２】
2019104237.tif 000004
【図３】
2019104237.tif 000005
【図４】
2019104237.tif 000006
【図５】
2019104237.tif 000007
【図６】
2019104237.tif 000008
【図７】
2019104237.tif 000009
【図８】
2019104237.tif 000010
【図９】
2019104237.tif 000011
【図１０】
2019104237.tif 000012
【図１１】
2019104237.tif 000013
【図１２】
2019104237.tif 000014
【図１３】
2019104237.tif 000015
【図１４】
2019104237.tif 000016
【図１５】
2019104237.tif 000017
【図１６】
2019104237.tif 000018
【図１７】
2019104237.tif 000019